(57)【要約】本発明は、自身の軸を中心とした回転運動で駆動され、場合によっては半径方向に変形する可能性のある、中空の円筒（２）を支えることを目的とした流体力学的軸受（１）に関するものであり、前記中空円筒（２）の直径は１メートル以上であり、前記軸受（１）を構成する不可欠の要素は、軸受胴（３）と軸受胴支持体（４）であって、前記軸受胴（３）は、特に厚みが一定であり、軸δの円筒の一部分に沿って延在しており、潤滑剤の膜を介して前記円筒（２）の外面にぴったり合わされることを目的とした案内面（３１）と、前記軸受胴支持体（４）に連係する面（３２）とを有する。本発明によると、必要に応じて、軸受胴支持体（４）は、少なくとも前記軸受（１）の中間領域にあたる部位に、局部的に、セクションを小さくする手段（５、６、７、８）を有し、それにより、前記軸受が弾性的に変形して、前記軸受胴（３）にかかる案内応力の最大値に制限を加えられるようにする。本発明は、例えば粉砕機の円筒のように、不均等に分布される力Ｆを受ける回転中空円筒を支えて案内することに特に用途を見出す。本発明はまた、その内壁が円形トラック（２１）を形成する中空円筒（２）と、所定の力に応じて円形面に対してローラー（２２）を押し当てる手段とを有し、中空円筒を支えて回転時に案内することを可能にする、本発明による流体力学的軸受（１）を備えるタイプの粉砕機に関するものでもある。【選択図】図１
2013524104.tif 000002
【特許請求の範囲】
【請求項１】
自身の軸を中心とした回転運動で駆動され、場合によっては半径方向に変形する可能性のある、中空の円筒（２）を支えることを目的とした流体力学的軸受（１）であって、前記円筒の直径が１メートル以上であり、前記軸受（１）を構成する不可欠の要素は、軸受胴（３）と軸受胴支持体（４）であって、前記軸受胴（３）は、特に厚みが一定であり、軸δの円筒の一部分に沿って延在しており、前記円筒（２）の曲率半径に対応する曲率半径の、潤滑剤の膜を介して前記円筒（２）の外面とぴったり合わされることを目的とした案内面（３１）と、前記軸受胴支持体（４）に連係する面（３２）とを有しており、軸受胴支持体（４）は、少なくとも、前記軸受（１）の中間領域にあたる部位に、前記軸受胴支持体（４）に弾性を付与するセクションを小さくする手段（５、６、７、８）を有し、それにより、前記軸受（１）が弾性的に変形して、前記軸受胴（３）にかかる案内応力の最大値に制限を加えられるようにすることを特徴とする、流体力学的軸受。
【請求項２】
前記セクションを小さくする手段を構成するのは、一つまたは複数の刳り貫き部（５、６、７）である、請求項１に記載の軸受。
【請求項３】
前記セクションを小さくする手段（５、６、７）は、軸δと平行な方向に沿って、前記軸受（１）の全長にわたって延在する、請求項１または２に記載の軸受。
【請求項４】
前記軸受胴支持体（４）は一体成形であり、前記セクションを小さくする手段は、セクションが閉じられた、軸受胴（３）の曲線と平行に延在している細長い刳り貫き部（５）で構成され、前記細長い刳り貫き部（５）は、前記軸δと平行な方向に沿って横断する形になっている、請求項１から３のいずれか一つに記載の軸受。
【請求項５】
軸受胴支持体（４）は一体成形であり、前記セクションを小さくする手段は、セクションが閉じられた、軸δの前記円筒の接線と平行に延在している細長い刳り貫き部（６）で構成され、前記細長い刳り貫き部（６）は、前記軸δと平行な方向に沿って横断する形になっている、請求項１から３のいずれか一つに記載の軸受。
【請求項６】
前記軸受胴支持体（４）は一体成形であり、前記セクションを小さくする手段は、セクションが閉じられた、互いに平行で、前記軸δと平行な方向に沿って横断する形になっている、複数の刳り貫き部（７）の一つの集合で構成され、前記刳り貫き部（７）は、軸受胴（３）の曲線をなぞる形の配置により分布している、請求項１から３のいずれか一つに記載の軸受。
【請求項７】
一つまたはそれぞれの刳り貫き部は、前記軸受胴支持体（４）の中で、チャンバを構成し、前記一つまたはそれぞれのチャンバは、加圧液体に対して気密性であり、前記一つまたはそれぞれのチャンバは、該チャンバ内の圧力を調節することを可能にする加圧液体のための入り口を有する、請求項２から６のいずれか一つに記載の軸受。
【請求項８】
前記セクションを小さくする手段は、軸δと平行な方向に沿って、端部（１０、１１；１０’、１１’）を除いた前記軸受の中間領域にあたるところに延在している、請求項１または２に記載の軸受。
【請求項９】
前記セクションを小さくする手段は、厚みを制限されたセクション（８）で構成され、前記軸受胴支持体（４）の端部（９、１０、１１；９、１０’、１１’）における厚みよりも小さくなっている、請求項８に記載の軸受。
【請求項１０】
軸δと平行な方向に沿った、前記軸受胴の端部（１０’、１１’）を構成する要素は、厚みを制限されたセクション（８）の軸受胴支持体（４）の部分とは別の要素である、請求項９に記載の軸受。
【請求項１１】
軸受胴（３）は、低硬度の金属製であり、軸受胴支持体（４）は高硬度の金属製である、請求項１から１０のいずれか一つに記載の軸受。
【請求項１２】
軸受胴（３）の金属は、青銅またはホワイトメタルまたはその他の減摩合金で、軸受胴支持体（４）の金属は鋼鉄である、請求項１１に記載の軸受。
【請求項１３】
特に粉砕機の円筒のような、不均等に分布した力（Ｆ）を内部で受け、場合によっては半径方向に変形する可能性がある、中空の回転する円筒を支えて案内するための、請求項１から１２のいずれか一つに記載の前記流体力学的軸受の使用方法。
【請求項１４】
粉砕機（２０）が、
−内壁が円形トラック（２１）を形成する中空円筒（２）と、
−円形トラックの上を転がるのに適したローラー（２２）と、
−前記ローラー（２２）を、所定の力に応じて円形トラックに対して押し当てるための手段と、
−前記中空円筒を支えてそれを回転時に案内するための手段と
を少なくとも備える粉砕機（２０）であって、
前記中空円筒を支えてそれを回転時に案内するための前記手段は、請求項１から８のいずれか一つに記載の少なくとも一つの流体力学的軸受（１）を有し、前記流体力学的軸受（１）のセクションを小さくする手段（５、６、７、８）は、前記ローラー（２２）によって前記中空円筒（２）にかかる力を受ける領域にあたる部位に位置付けられていることを特徴とする、粉砕機（２０）。
【請求項１５】
前記粉砕機は、ローラー（２２）を一つだけ、流体力学的軸受を一つだけ有する、請求項１４に記載の粉砕機（２０）。
【発明の詳細な説明】
【技術分野】
【０００１】
本発明は、自身の軸を中心とした回転運動で駆動される円筒を支えることを目的とする流体力学的軸受に関するものである。
【０００２】
本発明は、とりわけ粉砕機の回転中空円筒のような、不均等に分布した力がかけられる、回転する中空円筒を支えて案内するための用途を特に見出す。
【０００３】
また、本発明は、本発明による流体力学的軸受を備えた粉砕機に関するものでもある。
【背景技術】
【０００４】
セメント製造用の原料、クリンカーまたは一部の鉱石のような材料を細かく粉砕するためのものとして知られている粉砕機を構成する中空円筒は、自身の軸を中心とした回転運動により駆動されるものであり、その内壁は円形トラックを構成する。その円形トラック上に一つの層を成すように材料を投入し、それを粉砕するのに用いる一つまたは複数のローラーは、その中空円筒の内部に位置し、その軸は前記中空円筒と平行であって、円筒が回転する際に、ジャッキを用いて、ローラーを円形トラックに対して圧力をかけて押し当てる。そのような粉砕機についての教示が得られる文献としては特に欧州特許第０４８６３７１号明細書がある。一つまたは複数のローラーによってかけられる力が、半径方向に変形を生じさせる。
【０００５】
粉砕機の中空円筒を支えるのに用いられるのが、一つまたは複数の軸受であり、その軸受の案内面が中空円筒の外面とぴったり合うようになっている。
【０００６】
用いる軸受は一つだけでもよいし、複数の軸受を間隔を置いて二つの集合にまとめたものを用いてもよいが、その場合は、負荷から生じる半径方向の力が中心角内に位置し、その中心角が複数の軸受の最も外側の両端部で画定されているということが条件である。複数の軸受の配置が、最大の力がはたらく半径方向の両側それぞれに位置する二つの集合になる場合、円筒の変形は、軸受間の自由空間内で生じる。
【０００７】
円筒を支える軸受が一つしかない場合は、円筒の弾性変形は、前記軸受上で生じ、それにより液膜の厚みが局部的に減り、その同じ箇所に過剰な圧力が加わることになって、軸受の軸受胴を損傷する危険性が生じる。厚み減少は、特に直径が１メートルを越えるような大寸法の円筒の場合には特に深刻なものとなる。
【発明の概要】
【発明が解決しようとする課題】
【０００８】
それゆえ、本発明の目的は、上記の不都合を解消するため、不均等に分布した力がかけられる円筒を支えて案内することのできる流体力学的軸受を提案することである。
【０００９】
本発明はまた、本発明による流体力学的軸受を備える粉砕機に関するものであり、しかし限定的ではないが、特に、ローラーを一つだけしか有しない粉砕機の場合に適している。
【００１０】
本発明のその他の目的と利点は、以下の記載を通じて明らかになっていき、以下の記載は参考のためのものであってその制限を目的とするものではない。
【課題を解決するための手段】
【００１１】
まず、本発明は流体力学的軸受に関するものであり、該軸受は、自身の軸を中心とした回転運動で駆動され、場合によっては半径方向に変形する可能性がある中空円筒を支えることを目的としており、前記円筒の直径は１メートル以上であり、前記軸受を構成する不可欠の要素は、軸受胴と軸受胴支持体であって、前記軸受胴は、特に、厚みが一定であり、軸δの円筒の一部分に沿って延在しており、潤滑剤の膜を介して前記円筒の外面とぴったり合わされることを目的とした案内面と前記軸受胴支持体に連係する面とを有する。
【００１２】
本発明によると、軸受胴支持体は、少なくとも前記軸受の中間領域にあたる部位に、局部的に、セクションを小さくする手段を有し、それにより、前記軸受が弾性的に変形することを可能にして、その結果軸受胴にかかる案内応力の最大値を制限するようにしている。
【００１３】
したがって、本発明による軸受を用いることにより、局部的な圧力過剰を減らすことができ、したがって軸受胴および軸受が損傷する危険性を減らすことができるのであるが、それは、最大の力がかけられる箇所で、軸受自体が弾性的にわずかに変形することにより、潤滑剤の膜の厚みが減少することに対抗できるような柔軟性を与えることができるからである。
【００１４】
時間の経過とともに力が変化するようなシステムにおいて、本発明では、かけられる力のレベルが上がれば、それだけ益々、支持体の弾性が高まるようにすることによって相殺することで、軸受が常時適応できるようにする。
【００１５】
任意で選択可能な特徴によると、
−セクションを小さくする手段は、前記軸受の全長にわたって軸δと平行な方向に延在する、
−前記セクションを小さくする手段を構成するのは、一つまたは複数の刳り貫き部である、
−軸受胴支持体は一体成形で、細長い刳り貫き部で構成されたセクションを小さくする手段が、前記軸受胴の曲線と平行に延在し、前記細長い刳り貫き部は、前記軸δと平行な方向に沿って横断する、
−軸受胴支持体は一体成形で、前記セクションを小さくする手段を構成するのは細長い刳り貫き部一つで、前記円筒δの接線と平行に延在し、前記細長い刳り貫き部は、前記軸δと平行な方向に沿って横断する、
−軸受胴支持体は一体成形で、セクションを小さくする手段を構成するのは、互いに平行で、前記軸δと平行な方向に沿って横断する複数の刳り貫き部の一つの集合であり、前記複数の刳り貫き部は、軸受胴の曲線をなぞった配置に沿って分布している、
−複数の刳り貫き部が横断しているところを、側板で閉じることにより、前記軸受胴支持体の中に一つまたは複数のチャンバを構成し、前記一つのチャンバまたはそれぞれのチャンバが、加圧液体に対して気密性を有するようにし、前記一つのチャンバまたはそれぞれのチャンバに、前記チャンバの中の圧力を調節することができるように液体用の入り口を備えさせ、
−ある選択肢によると、セクションを小さくする手段は、軸δと平行な方向に沿って、両端部を除いた前記軸受の中間領域に延在し、
−特にセクションを小さくする手段は、前記軸受胴支持体の両端部における厚みよりも小さくした、厚みを制限されたセクションで構成してよく、
−場合によっては、軸δと平行な方向に沿った前記軸受胴の両端部が、厚みを制限された前記セクションの厚みより大きい厚みであり、該端部を構成する要素は、厚みを制限されたセクションの軸受胴支持体の部分とは別のものであってよい。
【００１６】
また、本発明は、不均等に分布した力を内部に受け、場合によっては半径方向に変形する可能性がある、特に粉砕機の、中空の回転する円筒を支えて案内するための、本発明による前記流体力学的軸受の使用に関するものでもある。
【００１７】
また、本発明は、
−内壁が円形トラックを形成する、中空円筒と、
−円形トラック上を転がるのに適したローラーと、
−前記ローラーを、所定の力に応じて円形トラックに対して押し当てるための手段と、
−中空円筒を支え、それを回転時に案内するための手段と
を少なくとも有する粉砕機に関するものでもある。
【００１８】
本発明によると、中空円筒を支えて、それを回転時に案内するための手段は、本発明による少なくとも一つの流体力学的軸受を備えており、前記流体力学的軸受の前記セクションを小さくする手段は、前記ローラーによって前記中空円筒にかけられる力を受ける領域に位置付けられる。
【００１９】
本発明は、以下の説明を添付の図面と共に読むことで、より明らかに理解されていくものである。
【図面の簡単な説明】
【００２０】
【図１】第一の実施態様にしたがった、本発明による流体力学的軸受を備える、中空円筒とローラーとを有する粉砕機の概略図である。
【図２】第二の実施態様にしたがった、本発明による流体力学的軸受を備える、中空円筒とローラーとを有する粉砕機の図である。
【図３】第三の実施態様にしたがった、本発明による流体力学的軸受を備える、中空円筒とローラーとを有する粉砕機の図である。
【図４】第四の実施態様にしたがった、本発明による流体力学的軸受を備える、中空円筒とローラーとを有する粉砕機の図である。
【図５】図４に示した軸受を断面ＩＶ−ＩＶに則して見た図である。
【図６】他の選択可能な形態で、図４に示した軸受を断面ＩＶ−ＩＶに則して見た図である。
【発明を実施するための形態】
【００２１】
本発明はまず、自身の軸を中心とした回転運動により駆動される円筒２を支えることを目的とした、流体力学的軸受１に関するものである。
【００２２】
円筒の直径は１メートル以上である。円筒は中空であり、場合によっては半径方向に変形する可能性がある。
【００２３】
前記軸受を構成する不可欠の要素は、特に、青銅またはホワイトメタルまたはその他の減摩合金のような低硬度の金属の軸受胴３と、例えば鋼鉄のような、前記軸受胴よりも高硬度の金属の軸受胴支持体である。
【００２４】
軸受胴３は、特に厚みが一定であり、軸δの円筒の一部分に沿って延在し、潤滑剤の膜を介して円筒の外面とぴったり合わされることを目的とした案内面３１を有する。
【００２５】
この案内面３１の曲率半径は、前記円筒２の曲率半径（０．５ｍ以上）に対応している。
【００２６】
また、軸受胴３は、前記軸受胴支持体４と連係する面３２を有する。
【００２７】
図に示す通り、軸受胴支持体４は、接触が途切れることなしに、案内面３１の反対側にある、軸受胴の面３２の全面にわたって力を引き受け、それにより前記軸受胴３の変形を制御する。
【００２８】
本発明によると、軸受胴支持体４は、必要に応じて局部的に、少なくとも前記軸受の中間領域にあたる部位に、セクションを小さくする手段５、６、７、８を有し、それにより、前記軸受が弾性的に変形することを可能にして、その結果前記軸受胴３にかかる案内応力の最大値に制限を加えられるようにしている。
【００２９】
このセクションを小さくする手段により、こうして、軸受胴３の変形を限定的なものにすることができ、そうすることにより、軸受胴にかかる案内応力を更に均一な配分にすることができる。
【００３０】
図１、２または３の例によると、セクションを小さくする手段は、軸δと平行な方向に沿って、前記軸受の全長にわたり延在していてよく、それを構成する要素は特に、一つまたは複数の横断する刳り貫き部５、６、７である。
【００３１】
特に図４、５及び６に示された別の実施態様によると、セクションを小さくする手段は、軸δと平行な方向に沿って、端部１０、１１；１０’、１１’を除いた、前記軸受の中間領域に延在し得るものであって、それを構成する要素は特に、前記軸受胴支持体４の両端部における厚みよりも小さくなるように厚みを制限されたセクションである。
【００３２】
本発明による流体力学的軸受は、粉砕機の円筒のように、不均等に分布した力を受け、場合によっては半径方向に変形する可能性があり、中空の回転する円筒を支えて案内するための用途を特に見出す。
【００３３】
また、本発明は
−内壁が円形トラック２１を形成する、中空円筒２と、
−円形トラック２１の上を転がるのに適したローラー２２と、
−前記ローラー２２を、所定の力に応じて円形トラックに対して押し当てるための手段と、
−前記中空円筒を支え、それを回転時に案内するための手段と
を少なくとも有する粉砕機２０に関するものでもある。
【００３４】
本発明によると、前記中空円筒を支えて、それを回転時に案内するための手段は、本発明による流体力学的軸受１を少なくとも一つ備えており、前記流体力学的軸受１のセクションを小さくする手段５、６、７、８は、前記ローラー２２によって前記中空円筒２にかけられる力を受ける領域にあたる部位に位置付けられる。
【００３５】
以下、図１から６の例を、詳細に説明する。図１から４に例示した粉砕機は、一つだけのローラーおよび一つだけの流体力学的軸受を有することに注意すべきである。
【００３６】
図１は、本発明による粉砕機２０を垂直断面に沿って示す概略図である。この粉砕機は、中空円筒２を含み、該中空円筒は、その直径が少なくとも１メートルであり、内壁が円形トラック２１を形成しており、図示されていない協働する装置によって、自身の軸を中心として回転駆動されることが可能なものである。そのような円筒は、力を受けると、その力の作用により半径方向に変形する可能性がある。
【００３７】
ローラー２２の軸は、円形トラックの上を転がるのに適した中空円筒２の軸と平行であり、前記ローラー２２を所定の力に応じて円形トラックに対して押し当てるための手段を構成するのは、一つまたは複数の油圧ジャッキである。
【００３８】
本発明による流体力学的軸受１は、ローラー２２によって中空円筒２にかけられる力Ｆと直角に位置付けられており、前記セクションを小さくする手段５は、前記ローラー２２によってかけられる力を受ける領域にあたる部位に位置付けられている。
【００３９】
更に詳細には、軸受１を構成する軸受胴３は、厚みがほぼ一定で、軸δの円筒の一部分に沿って延在している。この軸受胴は、潤滑剤の膜を介して特に中空円筒２の外面とぴったり合わされることを目的とした案内面３１と、前記軸受胴支持体４と連係する面３２とを有する。
【００４０】
この図１の例によると、前記軸受胴支持体４は一体成形であり、特に例えば鋼鉄のような金属製である。セクションを小さくする手段を構成する細長い刳り貫き部５は、セクションが閉じられていて、軸受胴３の曲線と平行に延在し、前記軸δと平行な方向に沿って横断する。軸δと直角を成すもう一方の方向において、刳り貫き部５は、前記軸受の中間領域にあたるところに局部的に限定されて延在し、軸δ上に中心のある角度α内に納まっている。
【００４１】
図２の例が図１の例と異なっているのは、細長い刳り貫き部６の形状であって、それは、特に中空円筒２にかかるローラー２２の力Ｆの方向と直角を成す、軸δの前記円筒への接線と平行に延在している。この細長い刳り貫き部６は、前記軸δと平行な方向に沿って横断し、セクションは閉じられている。
【００４２】
図３の例と前述の例との違いは、セクションを小さくする手段を構成するのが、複数の刳り貫き部７を一つにまとめたものであり、そのセクションは閉じられていて、互いに平行で、前記軸δと平行な方向に沿って横断する形になっている。図３の例によると、複数の刳り貫き部７は、静止した状態では、軸受胴３の曲線をなぞる形の配置で分布されている。
【００４３】
好適には、一実施態様において、図１、２の例の刳り貫き部５、６または図７の例の複数の刳り貫き部７を側板で閉じて、軸受胴支持体４の中に一つまたは複数のチャンバを構成することができる。
【００４４】
一つまたは複数のチャンバは加圧液体に対して気密性であり、前記一つまたはそれぞれのチャンバは、前記チャンバの中の圧力を調節することを可能にする液体用の入り口を有する。そのようにすれば、前記一つまたはそれぞれのチャンバの内部の流体の圧力を制御しつつ、作動条件に応じて、軸受の弾性を調節することが可能になる。そのために、軸受に対して、油圧ポンプと、軸受内の液体の圧力を調整することを可能にする制御装置とをつなぐこととする。
【００４５】
図４の例が、図１から３の例と異なるところは、セクションを小さくする手段が、端部１０、１１；１０’、１１’を除いた、前記軸受１の中間領域にあたるところに、軸δに沿って部分的にしか延在していないこと、そして、セクションを小さくする手段を構成する厚みを制限されたセクションが、端部９、１０、１１；９’、１０’、１１’における前記軸受胴支持体４の厚みよりも小さくなっていることである。
【００４６】
端部１０、１１または１０’、１１’は、軸δに沿った軸受胴支持体４の端部である。端部９は、軸δの方向に対して横断する方向に沿った軸受胴支持体４の端部である。
【００４７】
図４の例によると、注目すべきは、厚みを制限されたセクション８が、部分的に軸δと直交する方向に沿って、前記軸受の中間領域にあたるところに延在し、軸δ上に中心を置く角度αの範囲内に納まっていて、軸受の軸受胴支持体４の端部９の厚みは、この方向において、充分厚くなっているということである。更に、この厚みを制限されたセクション８は、図５の断面図に示されているように、これもまた局部的に、平行軸δと平行な方向に沿って、前記軸受の中間領域にあたるところに延在しており、この方向に沿った軸受の軸受胴支持体４の端部１０、１１は、前記セクション８よりも充分厚みが大きい。
【００４８】
図５によると、注目すべきは、端部１０、１１並びに前記軸受胴支持体４の厚みを制限されたセクション８が一体成形であることである。図６の実施例が図５と異なるのは、軸受胴支持体の端部１０’、１１’を構成する要素が、厚みを制限されたセクション８の軸受胴支持体４の部分とは別のものであることである。これらの要素１０’、１１’を軸受胴の本体にしっかりと固定する手段は、適切なものであればよく、特に溶接またはネジ機構でよい。
【００４９】
以下の請求項により規定された本発明の枠を越えない限り、当業者が他の実施態様を実現し得ることもあることは言うまでもない。
【符号の説明】
【００５０】
１  軸受
２  円筒
３  軸受胴
４  軸受胴支持体
５  セクションを小さくする手段
６  セクションを小さくする手段
７  セクションを小さくする手段
８  セクションを小さくする手段
９  端部
１０  端部
１１  端部
２０  粉砕機
２１  円形トラック
２２  ローラー
３１  案内面
３２  軸受胴支持体と連係する面
【先行技術文献】
【特許文献】
【００５１】
【特許文献１】欧州特許第０４８６３７１号明細書
【図１】
2013524104.tif 000003
【図２】
2013524104.tif 000004
【図３】
2013524104.tif 000005
【図４】
2013524104.tif 000006
【図５】
2013524104.tif 000007
【図６】
2013524104.tif 000008
【手続補正書】
【提出日】平成23年9月20日(2011.9.20)
【手続補正１】
【補正対象書類名】明細書
【補正対象項目名】００１１
【補正方法】変更
【補正の内容】
【００１１】
まず、本発明は流体力学的軸受に関するものであり、該軸受は、自身の軸を中心とした回転運動で駆動され、場合によっては半径方向に変形する可能性がある中空円筒を支えることを目的としており、前記軸受を構成する不可欠の要素は、軸受胴と軸受胴支持体であって、前記軸受胴は、軸δの円筒の一部分に沿って延在しており、前記円筒の曲率半径に対応する曲率半径の、潤滑剤の膜を介して前記円筒の外面とぴったり合わされることを目的とした案内面と、該案内面の反対側にある、前記軸受胴支持体に連係する面とを有する。
【手続補正２】
【補正対象書類名】明細書
【補正対象項目名】００１２
【補正方法】変更
【補正の内容】
【００１２】
本発明によると、前記円筒の直径は１メートル以上であり、軸受胴は、低硬度の金属製で、前記軸受胴支持体は、前記軸受胴の金属よりも高硬度の金属製であって、前記軸受胴支持体は、接触が途切れることなしに、案内面の反対側にある、前記軸受胴の面の全面にわたって力を引き受け、それにより前記軸受胴の変形を制御しており、軸受胴支持体は、少なくとも前記軸受の中間領域にあたる部位に、該軸受胴支持体に弾性を付与する、セクションを小さくする手段を有し、それにより、前記軸受が弾性的に変形することを可能にして、その結果前記軸受胴にかかる案内応力の最大値を制限するようにしている。
【手続補正３】
【補正対象書類名】特許請求の範囲
【補正対象項目名】全文
【補正方法】変更
【補正の内容】
【特許請求の範囲】
【請求項１】
自身の軸を中心とした回転運動で駆動され、場合によっては半径方向に変形する可能性のある、中空の円筒（２）を支えることを目的とした流体力学的軸受（１）であって、前記軸受（１）を構成する不可欠の要素は、軸受胴（３）と軸受胴支持体（４）であって、前記軸受胴（３）は、軸δの円筒の一部分に沿って延在しており、前記円筒（２）の曲率半径に対応する曲率半径の、潤滑剤の膜を介して前記円筒（２）の外面とぴったり合わされることを目的とした案内面（３１）と、該案内面（３１）の反対側にある、前記軸受胴支持体（４）に連係する面（３２）とを有しており、
前記円筒の直径が１メートル以上であり、また、軸受胴（３）は、低硬度の金属製で、前記軸受胴支持体（４）は、前記軸受胴（３）の金属よりも高硬度の金属製であって、
前記軸受胴支持体（４）は、接触が途切れることなしに、案内面（３１）の反対側にある、前記軸受胴（３）の面（３２）の全面にわたって力を引き受け、それにより前記軸受胴（３）の変形を制御しており、
軸受胴支持体（４）は、少なくとも、前記軸受（１）の中間領域にあたる部位に、前記軸受胴支持体（４）に弾性を付与するセクションを小さくする手段（５、６、７、８）を有し、それにより、前記軸受（１）が弾性的に変形して、前記軸受胴（３）にかかる案内応力の最大値に制限を加えられるようにすることを特徴とする、流体力学的軸受。
【請求項２】
前記セクションを小さくする手段を構成するのは、一つまたは複数の刳り貫き部（５、６、７）である、請求項１に記載の軸受。
【請求項３】
前記セクションを小さくする手段（５、６、７）は、軸δと平行な方向に沿って、前記軸受（１）の全長にわたって延在する、請求項１または２に記載の軸受。
【請求項４】
前記軸受胴支持体（４）は一体成形であり、前記セクションを小さくする手段は、セクションが閉じられた、軸受胴（３）の曲線と平行に延在している細長い刳り貫き部（５）で構成され、前記細長い刳り貫き部（５）は、前記軸δと平行な方向に沿って横断する形になっている、請求項１から３のいずれか一つに記載の軸受。
【請求項５】
軸受胴支持体（４）は一体成形であり、前記セクションを小さくする手段は、セクションが閉じられた、軸δの前記円筒の接線と平行に延在している細長い刳り貫き部（６）で構成され、前記細長い刳り貫き部（６）は、前記軸δと平行な方向に沿って横断する形になっている、請求項１から３のいずれか一つに記載の軸受。
【請求項６】
前記軸受胴支持体（４）は一体成形であり、前記セクションを小さくする手段は、セクションが閉じられた、互いに平行で、前記軸δと平行な方向に沿って横断する形になっている、複数の刳り貫き部（７）の一つの集合で構成され、前記刳り貫き部（７）は、軸受胴（３）の曲線をなぞる形の配置により分布している、請求項１から３のいずれか一つに記載の軸受。
【請求項７】
一つまたはそれぞれの刳り貫き部は、前記軸受胴支持体（４）の中で、チャンバを構成し、前記一つまたはそれぞれのチャンバは、加圧液体に対して気密性であり、前記一つまたはそれぞれのチャンバは、該チャンバ内の圧力を調節することを可能にする加圧液体のための入り口を有する、請求項２から６のいずれか一つに記載の軸受。
【請求項８】
前記セクションを小さくする手段は、軸δと平行な方向に沿って、端部（１０、１１；１０’、１１’）を除いた前記軸受の中間領域にあたるところに延在している、請求項１または２に記載の軸受。
【請求項９】
前記セクションを小さくする手段は、厚みを制限されたセクション（８）で構成され、前記軸受胴支持体（４）の端部（９、１０、１１；９、１０’、１１’）における厚みよりも小さくなっている、請求項８に記載の軸受。
【請求項１０】
軸δと平行な方向に沿った、前記軸受胴の端部（１０’、１１’）を構成する要素は、厚みを制限されたセクション（８）の軸受胴支持体（４）の部分とは別の要素である、請求項９に記載の軸受。
【請求項１１】
軸受胴（４）は、一定の厚みである、請求項１から１０のいずれか一つに記載の軸受。
【請求項１２】
軸受胴（３）の金属は、青銅またはホワイトメタルまたはその他の減摩合金で、軸受胴支持体（４）の金属は鋼鉄である、請求項１から１１のいずれか一つに記載の軸受。
【請求項１３】
特に粉砕機の円筒のような、不均等に分布した力（Ｆ）を内部で受け、場合によっては半径方向に変形する可能性がある、中空の回転する円筒を支えて案内するための、請求項１から１２のいずれか一つに記載の前記流体力学的軸受の使用方法。
【請求項１４】
粉砕機（２０）が、
−内壁が円形トラック（２１）を形成する中空円筒（２）と、
−円形トラックの上を転がるのに適したローラー（２２）と、
−前記ローラー（２２）を、所定の力に応じて円形トラックに対して押し当てるための手段と、
−前記中空円筒を回転時に支えてそれを案内するための手段と
を少なくとも備える粉砕機（２０）であって、
前記中空円筒を回転時に支えてそれを案内するための前記手段は、前記請求項１から８のいずれか一つに記載の少なくとも一つの流体力学的軸受（１）を有し、前記流体力学的軸受（１）のセクションを小さくする手段（５、６、７、８）は、前記ローラー（２２）によって前記中空円筒（２）にかかる力を受ける領域にあたる部位に位置付けられていることを特徴とする、粉砕機（２０）。
【請求項１５】
前記粉砕機は、ローラー（２２）を一つだけ、流体力学的軸受を一つだけ有する、請求項１４に記載の粉砕機（２０）。
【国際調査報告】
2013524104.tif 000009
2013524104.tif 000010
2013524104.tif 000011
2013524104.tif 000012
2013524104.tif 000013
2013524104.tif 000014